(57)【要約】【課題】フィット性が高く、ビーチスポーツ時に着用するのに適したスポーツシューズを提供すること【解決手段】足袋ソックス１に樹脂層２を被覆し、樹脂層２の上であって足蹠の土踏まずを除く部分に発泡第一ゴムシート４を貼着する。【選択図】図１
2020081842.tif 000002
【特許請求の範囲】
【請求項１】
足袋ソックスに樹脂層を被覆し、当該樹脂層の上であって足蹠の土踏まずを除く部分に発泡第一ゴムシートを貼着したことを特徴とするスポーツシューズ。
【請求項２】
足袋ソックスに樹脂層を被覆し、当該樹脂層の上であって足蹠の土踏まずを除く部分に発泡第一ゴムシートを貼着し、当該発泡第一ゴムシートの上にさらに第二ゴムシートを貼着したことを特徴とするスポーツシューズ。
【請求項３】
第二ゴムシートの表面にエンボス状の浮き出し模様が施されていることを特徴とする請求項２に記載のスポーツシューズ。
【請求項４】
足背及び土踏まずを覆う部分がゴム編みである足袋ソックスからなることを特徴とする請求項１ないし３のいずれかに記載のスポーツシューズ。
【請求項５】
樹脂層が液状の天然ゴム、ニトリルゴムまたはクロロプレンゴムを乾燥させたものからなり、発泡第一ゴムシートが天然ゴム、ニトリルゴムまたはクロロプレンゴムを発泡させたものであり、第二ゴムシートが天然ゴム、ニトリルゴムまたはクロロプレンゴムであることを特徴とする請求項１ないし４のいずれかにに記載のスポーツシューズ。
【請求項６】
樹脂層が少なくとも、足蹠、つま先及び踵を覆っていることを特徴とする請求項１ないし５のいずれかに記載のスポーツシューズ。
【発明の詳細な説明】
【技術分野】
【０００１】
本発明は、フィット性が高く、ビーチスポーツ時に着用するのに適したスポーツシューズに関する。
【背景技術】
【０００２】
スポーツシューズにとって重要な性能の一つに足に対するフィット性が挙げられる。特に、テニス等の動きの激しいスポーツにおいては、フィット性は最も重要なものであり、フィット性のよい靴は動きやすく、しかも、着用者に安心感を与える。フィット性とは、言い換えれば、足と靴との一体感であり、どんな動きをしたときでも、常に適度な締め付け具合で足と靴とが密着していることが好ましい。
【０００３】
従来、足に対するフィット性を向上させる手段として、甲部に通常の靴紐とは別にマジックテープ（登録商標）付きベルトを備え、このマジックテープ（登録商標）付きベルトで甲部の周りを締め付けるもの（特許文献１、特許文献２参照）、ベロとアッパーを一体化したもの（特許文献３参照）、ベロに伸縮性のある素材を用いてサポーターのように伸縮性を利用して締め付けるもの（特許文献４参照）等が提案されている。
【０００４】
ところが、マジックテープ（登録商標）付きベルトで甲部の周りを締め付けるものは、アッパーの上から締め付けを行うため、締め付け度合いが低くて足に対するフィット性が劣るものであった。また、ベロとアッパーを一体化したもの及びベロに伸縮性のある素材を用いてサポーターのように伸縮性を利用して締め付けるものは、着用時にベロを両手で拡張して足を挿入しなければないため、着用が煩雑であり、しかも着用時に締め具合の調整ができないため、足の形状に対応した締め付けができないという欠点がある。
【０００５】
ところで、近年、ビーチで各種スポーツが行われることが多い。例えば、ビーチベースボール、ビーチラクロス、ビーチサッカー、ビーチテニス、ビーチアルティメット、ビーチバレー、ビーチバスケットボール、ビーチハンドボールなどが行われている。この中には、必ずしも、運動に際してシューズがなくても可能なスポーツも含まれているが、ビーチスポーツのプレーをうまく行うには、適切なシューズは欠かせない。
【０００６】
特に、ビーチでは、砂に足を取られやすいので、うまくプレーを行うのが困難で、しかも、夏季には熱い砂が直接足に触れないようにするのが好ましい。ところが、この要求を満たすスポーツシューズはいまだ提案されていない。
【先行技術文献】
【特許文献】
【０００７】
【特許文献１】実公平６−１０８１７号公報
【特許文献２】実公平２−３２９１号公報
【特許文献３】実開平４−１０７６０７号公報
【特許文献４】特開平５−２２８００６号公報
【発明の概要】
【発明が解決しようとする課題】
【０００８】
本発明は、上記課題を解決するためになされたものであり、その目的は、フィット性が高く、ビーチスポーツ時に着用するのに適したスポーツシューズを提供することにある。
【課題を解決するための手段】
【０００９】
本発明者は、前記課題を解決するために鋭意検討をおこなった結果、次のような手段を採用するものである。
（１）足袋ソックスに樹脂層を被覆し、当該樹脂層の上であって足蹠の土踏まずを除く部分に発泡第一ゴムシートを貼着したことを特徴とするスポーツシューズ。
（２）足袋ソックスに樹脂層を被覆し、当該樹脂層の上であって足蹠の土踏まずを除く部分に発泡第一ゴムシートを貼着し、当該発泡第一ゴムシートの上にさらに第二ゴムシートを貼着したことを特徴とするスポーツシューズ。
（３）第二ゴムシートの表面にエンボス状の浮き出し模様が施されていることを特徴とする（２）に記載のスポーツシューズ。
（４）足背及び土踏まずを覆う部分がゴム編みである足袋ソックスからなることを特徴とする（１）ないし（３）のいずれかに記載のスポーツシューズ。
（５）樹脂層が液状の天然ゴム、ニトリルゴムまたはクロロプレンゴムを乾燥させたものからなり、発泡第一ゴムシートが天然ゴム、ニトリルゴムまたはクロロプレンゴムを発泡させたものであり、第二ゴムシートが天然ゴム、ニトリルゴムまたはクロロプレンゴムであることを特徴とする（１）ないし（４）のいずれかに記載のスポーツシューズ。
（６）樹脂層が少なくとも、足蹠、つま先及び踵を覆っていることを特徴とする（１）ないし（５）のいずれかに記載のスポーツシューズ。
【発明の効果】
【００１０】
本発明のスポーツシューズは、足袋ソックスに樹脂層を被覆した構成なので、足袋ソックスの網目から砂が浸入しにくく、足を保護する効果も期待することができる。土踏まずの下側には発泡第一ゴムシートも第二ゴムシートも存在せず、樹脂層が存在するだけであるから、土踏まず部分の伸縮性が優れており、つま先と踵にかかる圧迫感を軽減し、足蹠、つま先及び踵へのフィット性を高めることができる。樹脂層の上には発泡第一ゴムシートが貼着されているので、熱い砂の熱が伝わりにくく、クッション効果も期待することができる。そこで、快適な運動をサポートすることができる。
このように、本発明のスポーツシューズは、５本指ソックスに比べて親指だけが独立していて非常に履きやすい足袋ソックスをベースとしているので、素足に近い感覚で着用して、砂が浸入しにくく、フィット性が高く、熱い砂の熱が伝わりにくく、クッション効果も備えているので、ビーチスポーツ時に着用するのに適している。
【００１１】
特に、発泡第一ゴムシートの上にさらに第二ゴムシートが貼着されていれば、強度が増すので好ましい。
特に、第二ゴムシートの表面にエンボス状の浮き出し模様が施されていれば、滑りにくく、地面に対してグリップ効果があるので好ましい。
特に、足袋ソックスが足背及び土踏まずを覆う部分が、表編みと裏編みを交互に繰り返して縦方向に畝ができる編み方であるゴム編みの編物であれば、土踏まず部分を伸縮性に富むゴム編みが適度に締め付けることでフィット性が向上し、素足感覚で履けるので好ましい。
【図面の簡単な説明】
【００１２】
【図１】図１（ａ）は本発明のスポーツシューズの一実施形態の側面図、図１（ｂ）は図１（ａ）の足背からつま先に至る部分を拡大した断面を含む斜視図である。
【図２】図２（ａ）は本発明のスポーツシューズの別の実施形態の側面図、図２（ｂ）は図２（ａ）の足背からつま先に至る部分を拡大した断面を含む斜視図である。
【図３】図３は、図２（ａ）（ｂ）に示すスポーツシューズの底面図である。
【図４】図４は、図２（ａ）（ｂ）に示すスポーツシューズの正面図である。
【図５】図５は、図２（ａ）（ｂ）に示すスポーツシューズの背面図である。
【図６】図６は、図２（ａ）（ｂ）に示すスポーツシューズを着用した状態を示す斜視図である。
【発明を実施するための形態】
【００１３】
以下に本発明の実施形態を説明するが、本発明の技術的範囲を逸脱しない範囲において様々な変形や修正が可能である。
《足袋ソックス》
一般的なソックス（靴下）は足の指すべてをすっぽりと包み込むような形状をしているが、目的や用途によっては、以下に説明するようなデザインのソックスが存在している。例えば、５本指ソックスは足に合せて指部分が５本に分かれている。５本指ソックスはそれぞれ指が独立しているので、履き心地が楽で、足の蒸れや冷え性の改善など様々な効果があるといわれ、健康目的で着用されている。一方、足袋ソックスは、親指だけが独立しており、文字通り足袋のような形状であり、足の指で最も重要な働きをする親指が独立しているので、動きやすく、スポーツ用として好適のソックスであると言える。
【００１４】
《天然ゴム》
ゴムは、天然ゴムと合成ゴムに大別することができる。天然ゴムはゴムノキの樹液に含まれるシスポリイソプレンを主成分とする物質である。一方、トランス型のポリイソプレンから出来ているものをガタパーチャ又はグッタペルカという。天然ゴム、ガタパーチャ双方ともポリイソプレンから出来ているが、天然ゴムは高い弾性限界を示すが、ガタパーチャは示さない。この弾性限界の違いは幾何異性体の性質によるものである。すなわち、シス型のポリイソプレンは、分子鎖が折れ曲がった構造をとって不規則な形を取りやすく、分子鎖と分子鎖の間に多くの隙間を生じ、分子間力が比較的小さくなるため、分子同士の結晶化が起こらず、柔らかな性質を持つ。それに対して、トランス型のポリイソプレンは、分子鎖が直線構造をとりやすく、分子鎖と分子鎖の距離が近くなるため、分子間力が強く作用して分子間で微結晶化を引き起こし、硬い樹脂状の物質となる。従って、天然ゴムは、引き裂き強さ、反発弾性、圧縮永久歪、耐屈曲摩耗性などの機械的強度に優れているので、本発明の素材として好ましい。
《ニトリルゴム、クロロプレンゴム》
ニトリルゴムは圧縮永久ひずみ、引張強さ及び耐摩耗性が優れており、クロロプレンゴムは耐疲労性、耐オゾン性が優れているので、これらのゴムも本発明の素材として好ましい。
【００１５】
《発泡第一ゴムシート、第二ゴムシート》
天然ゴム、ニトリルゴムまたはクロロプレンゴムを原料とする生ゴムに、適切な補強剤、充填剤、軟化剤、発泡剤、加硫剤などを配合し、素練り及び混練りを経てカレンダーロールにより所定の幅と厚さのシートを得るために圧延し、成形後、加硫工程を経て、天然ゴム、ニトリルゴムまたはクロロプレンゴムを発泡させた発泡第一ゴムシートを得ることができる。発泡剤を含有しないことを除いて、同様の工程を経て天然ゴム、ニトリルゴムまたはクロロプレンゴムからなる第二ゴムシートを得ることができる。
【００１６】
図１（ａ）は本発明のスポーツシューズの一実施形態の側面図、図１（ｂ）は図１（ａ）の足背からつま先に至る部分を拡大した断面を含む斜視図である。１は足袋ソックスであり、２は天然ゴムのラテックスからなる樹脂層である。樹脂層２は天然ゴムのラテックスを塗布した後、乾燥することによって得られ、足袋ソックス１と樹脂層２の合計厚みは約１．３〜１．５mmである。樹脂層２は、少なくとも、足蹠、つま先及び踵を覆っているので、足袋ソックス１内に砂が浸入しにくく、足を保護する効果も期待することができる。なお、樹脂層２の素材としては、天然ゴム以外にニトリルゴムまたはクロロプレンゴムを採用することができる。足袋ソックス１が足背及び土踏まずを覆う部分は、表編みと裏編みを交互に繰り返して縦方向に畝ができる編み方であるゴム編み１ａで編まれている。ゴム編みは伸縮性に富んでおり、土踏まず部分３を伸縮性に富むゴム編み１ａが適度に締め付けることでフィット性が向上し、素足感覚で履けるので好ましい。この足袋ソックス１は、足首部分もゴム編み１ｂで編まれている。土踏まず部分と足首部分の両方がゴム編みであると、フィット性はさらに向上するので、より好ましい。なお、足袋ソックス１のゴム編み１ａ、１ｂ以外はニットの編地である。
【００１７】
図１（ｂ）は図１（ａ）の足背からつま先に至る部分を拡大した断面を含む斜視図であり、足袋ソックス１には天然ゴムのラテックスからなる樹脂層２が被覆され、樹脂層２の上に適切な接着剤により約１．７〜１．９mmの厚みの天然ゴムの発泡第一ゴムシート４が貼着されている。足袋ソックス１、樹脂層２及び発泡第一ゴムシート４の合計厚みは約３〜３．４mmである。発泡第一ゴムシート４の素材としては、天然ゴム以外にニトリルゴムまたはクロロプレンゴムを採用することができる。
【００１８】
図２（ａ）は本発明のスポーツシューズの別の実施形態の側面図、図２（ｂ）は図２（ａ）の足背からつま先に至る部分を拡大した断面を含む斜視図である。図２（ａ）（ｂ）に示すスポーツシューズは、図１（ａ）（ｂ）に示すスポーツシューズの発泡第一ゴムシート４の上に適切な接着剤により約０．８〜０．９mmの厚みの天然ゴムの第二ゴムシート５が貼着されている。図２（ａ）（ｂ）に示すスポーツシューズは、強度を増すための補強材としての第二ゴムシート５を有する点を除けば、図１（ａ）（ｂ）に示すスポーツシューズと同じである。従って、図１（ａ）（ｂ）に示すスポーツシューズの底面図、正面図、背面図及び着用した状態を示す斜視図は、それぞれ後記する図２（ａ）（ｂ）に示すスポーツシューズの図３、図４、図５、図６と実質的に同じような図になるので、省略する。足袋ソックス１、樹脂層２、発泡第一ゴムシート４及び第二ゴムシート５の合計厚みは約３．８〜４．３mmである。第二ゴムシート５の素材としては、天然ゴム以外にニトリルゴムまたはクロロプレンゴムを採用することができる。
【００１９】
本発明のスポーツシューズの別の実施形態の底面図である図３を見れば明らかなように、発泡第一ゴムシート４及び第二ゴムシート５は足蹠の土踏まず部分３を除く部分に貼着されている。このように、土踏まずの下側には発泡第一ゴムシートも第二ゴムシートも存在せず、樹脂層２が存在するだけであるから、土踏まず部分３の伸縮性が優れており、つま先と踵にかかる圧迫感を軽減し、足蹠、つま先及び踵へのフィット性を高めることができる。また、樹脂層２と第二ゴムシート５のあいだには、発泡第一ゴムシート４が存在するので、熱い砂の熱が伝わりにくく、クッション効果も期待することができる。第二ゴムシート５の表面には、エンボス状の浮き出し模様５ａが施されているので、滑りにくく、地面に対してグリップ効果があるので好ましい。
【００２０】
本発明のスポーツシューズの別の実施形態の正面図である図４に示すように、足袋ソックス１のつま先の破れやすい縫い合わせ部分６が樹脂層２、発泡第一ゴムシート４及び第二ゴムシート５で覆われて補強されているので、つま先の破れやすい縫い合わせ部分６が破れにくい。図５は、本発明のスポーツシューズの別の実施形態の背面図である。
【００２１】
図６は、図２（ａ）（ｂ）に示すスポーツシューズを着用した状態を示す斜視図であり、親指だけが独立している足袋ソックス１により素足に近い感覚で足が保護されており、足の指で最も重要な働きをする親指が独立しているので、動きやすく、スポーツ用として好適のスポーツシューズである。
【産業上の利用可能性】
【００２２】
本発明のスポーツシューズは、ビーチスポーツ時に着用するのに適している。
【符号の説明】
【００２３】
１  足袋ソックス
１ａ、１ｂ  ゴム編み
２  樹脂層
３  土踏まず部分
４  発泡第一ゴムシート
５  第二ゴムシート
５ａ  エンボス状の浮き出し模様
６  つま先の破れやすい縫い合わせ部分
【図１】
2020081842.tif 000003
【図２】
2020081842.tif 000004
【図３】
2020081842.tif 000005
【図４】
2020081842.tif 000006
【図５】
2020081842.tif 000007
【図６】
2020081842.tif 000008